(57)【要約】【課題】本発明の課題は、自然の現象である重力、弱い力、電磁気力、核力に至る連続した穏やかなエネルギーの発生方法として、其の方法と装置を提供し、燃料のいらない周りの熱をエネルギーとする動力源を具現することにある。【解決手段】本発明の解決手段は固定子と回転子からなるモータの固定子を固定から外し出力軸回転子とすることにより、ワープモータを構成し、出力軸回転子と異回転次元にあるモータ回転子とを相互作用させる力の伝達機構である中間子とし、異回転四次元のエネルギーを当次元に回帰させることにある。【選択図】図１
2007300778.tif 000002
【特許請求の範囲】
【請求項１】
四つのそれぞれが閉じた系である、重力、弱い力、電磁起力、核力のゲージ場のひとつ重力場内でのエネルギー普遍を、普遍を超える重力から核力にいたる連続した穏やかな自然のエネルギー発生方法として、電磁気力である三次元方向と回転する時間を入れた四次元を合わせ持つ、モータを三次元方向と回転方向を±多連多段多重に用いて、四次元で閉じた系を超える等速移動する次高四次元のエネルギーを当四次元に回帰発生させる方法及び其の装置であるモータの固定子と回転子と中間子と出力軸回転子とを電磁気力と遊星歯車で連動構成される発電機内蔵遊星ワープモータ。
【請求項２】
モータの固定子を外し出力軸回転子とし、回転子と出力軸回転子からなる回転体の名前をワープモータとする。回転子と出力軸回転子と固定子からなるモータを三重ワープモータと名前をつける。回転子と遊星歯車支持装置であるプラネタリュウムとを一体とし、内歯大歯車であるインターナルギアと出力軸回転子と一体とし、その上で固定子を具備する遊星三重ワープモータを基礎ワープモータとする。この出力軸回転子の内、あるいは外、あるいは両方、あるいはその側方、あるいはその全てである、に発電機回転子が一体となる発電機を具備し、上記インターナルギアと一体となる駆動モータ出力軸回転子となお一体とする発電機回転子を総称して中間子と呼び、かつ上記発電機の固定子をはずし出力軸回転子として四次元重力場に駆動モータとして回帰する遊星四重ワープモータ。あるいは発電機内蔵遊星ワープモータ。
【請求項３】
モータの少なくとも一つの電機子の少なくとも１極を形成するコイルの中心線が回転子と同心の円周上に構築するドーナツ形の電機子であって、電機子磁極が電機子の少なくとも外周上に、あるいは内周上に、あるいはその両方に、あるいは片側側方上に、あるいは両側に、あるいはその全周に、構築した三次元コイルモータ、あるいは三次元コイル発電機。
【請求項４】
請求項３の三次元コイルモータ及び発電機の少なくとも１極の磁石の構築が上記三次元コイルの少なくとも外周上、あるいは内周上、あるいはその両方に、あるいは片側側方上に、あるいはその両側に、あるいはその全周に、構築した、あるいは上記電機子と磁石が入れ替わった、三次元コイルモータ、及び三次元コイル発電機。あるいは上記三次元コイルに隙間をへて構築される三次元磁石及び上記磁石が誘導起電力で形成されるコイルと励磁時鉄の電機子である三次元コイルモータ。
【請求項５】
モータの回転子と固定子が電機子で構成されるモータの一方の電機子が駆動用電気入力回路を具備し、他方の電機子が自己誘導発電電気出力回路を具備し駆動しつつ発電もする方法、及び少なくとも入出力二系統の電気回路を具備する発電機内蔵モータ。
【請求項６】
請求項３の三次元コイルモータがワープモータである三次元コイルワープモータ。
【請求項７】
請求項４の三次元コイルワープモータに遊星歯車を装着した三次元コイル遊星ワープモータ。
【請求項８】
請求項２の遊星四重ワープモータ、あるいは発電機内蔵遊星ワープモータのモータが請求項３の三次元コイルモータで構成される、三次元コイル遊星四重ワープモータ。あるいは三次元コイル発電機内蔵遊星ワープモータ。
【請求項９】
請求項３の三次元コイルモータ磁極が永久磁石か、電機子か、閉鎖回路の籠形コイルと励磁時鉄の誘導磁石で構成されたワープモータ。
【請求項１０】
遊星歯車の歯を無くし、回転体同士の摩擦抵抗で回転させる、すくなくとも断面が一重のＶ型プーリーであるインターナルプーリーとサンプーリーと凸Ｖ型円盤で構成される遊星プーリーおよび、上記遊星プーリーを使用した請求項２の遊星プーリーワープモータ。
【請求項１１】
請求項２のワープモータが請求項５の発電機内蔵モータである、少なくとも一つの発電機内蔵ワープモータ。
【請求項１２】
請求項５の発電機内蔵モータがワープモータであり、少なくとも一重の発電機を具備する、多重発電機内蔵ワープモータ。あるいは多重発電機内蔵遊星ワープモータ。
【発明の詳細な説明】
【技術分野】
【０００１】本発明は回転駆動発電機構を有するさまざまな装置において用いられる回転方法及びその電気回路及びその装置に関する。
【背景技術】
【０００２】自然界では重力、弱い力、電磁気力、核力と言うそれぞれ相互作用しない系で閉じた四つの力が有る。エネルギー保存則で閉じた系を超える方法は、爆縮という形で発散する原子力以外を人類は知らない。核力の次のエネルギーであるはずの電磁気力も重力場での効率１を超えられないと言う不文律、常識の中に埋没し、その持てるエネルギーを発揮できない。【０００３】駆動モータが駆動時、中で自己誘導発電する電気を利用する方法も誘導モータとして回転磁界を作る方法以外は知らない。【０００４】発電機が発電時発生する抗力が有効利用されないでいる。【０００５】一般的にモータの回転子と固定子の間の二次元面でのみ電磁気力を捕らえ、三次元空間で捕らえる概念も乏しい。【０００６】等速移動中の異四次元のエネルギーを利用する方法も未分化の世界である。一般的にモータの構造はすでに開発されつくしている、と言う一人よがりな思い上がりが世界を充満している。
【発明の開示】
【発明が解決しょうとする課題】
【０００７】電車が時速５０Ｋｍで移動している。この電車の上で、ボールの速度が時速５０Ｋｍのキャッチボールをしている人がいる。線路と平行する道路上で同じく時速５０Ｋｍでキャッチボールをしている人がいる。電車の進行方向に投げた球が、路上のキャッチャーに届いたとすると、この人は時速１００Ｋｍでボールを受け取る。エネルギーは速度の二乗ですから４倍の増幅したエネルギーを受け取ります。等速運動をしている物体からエネルギーを受け取ると、同様な状態になります。上記等速運動する異四次元のネルギーを停止している当四次元に受け取る方法装置を提供するのが本発明の大きな課題です。
【０００８】そのためのさまざまな小さな課題として、電機子のコイル有効利用度を上げるのも第一の課題としている。
【０００９】駆動モータの自己誘導発電抵抗を少なくし有効利用することも第二の課題としている。
【００１０】駆動モータの自己誘導発電を電力として取り出すことを、第三の課題としている。
【００１１】遊星ワープモータの歯車の抵抗騒音を少なくすることを第四の課題としている。
【課題を解決する為の手段】
【００１２】大きな課題を解決するための請求項１の手段はモータの固定子を外し出力軸回転子とする、ワープモータを用いることが基本であり、この互いに回転する回転子と出力軸回転子との間で発生する電磁気力を固定子の次元にどう回帰させるかと言うのが具体的な課題である。出力回帰は、一つは発電電力として回帰させ、他の一つは駆動力を出力軸回転子で回帰させる。あるいはその両方である。入力は一つには、誘導モータの固定子電機子による誘導電力で回転子か籠内の閉鎖回路で発生する電力と回転子励磁時鉄による磁力で構成する誘導モータの閉鎖回路の電力を開放し外に取り出すことを手段とする。これを発電機内蔵駆動モータと名付ける。他方の入力は遊星ワープモータによる。あるいはその両方である。すなわち遊星ワープモータの磁石がコイルと励磁時鉄からなる、自ら電気を入力するのではなく、誘導により発生する電磁気力による誘導磁石であり、発生する電力を開放回路によりモータ外部に取り出す発電機内臓遊星ワープモータを手段とする。入力は回転方向が反転する遊星歯車にワープモータを互いには差速回転しつつ、一対としては同回転するように組み込むのを手段とする。請求項２の遊星四重ワープモータは、遊星ワープモータの外周にワープモータ回転子と出力軸回転子を具備するものであり、遊星ワープモータの出力軸回転子とその外側のワープモータ回転子と一体となし、中性子を形成する四重モータである。この中性子の内周面と外周面を一体で構成することにより、駆動モータの回転子との電磁相互作用は中間子を経て発電駆動ワープモータに伝えることを手段とする。
【００１３】コイルの有効利用度を上げる第一の課題を解決するための請求項３の手段は、モータの励磁磁鉄とコイルで構成される電機子において、電磁気力として利用する面を三次元方向とする。具体的には電機子の外周、あるいは内周、あるいはその両方、あるいは側方、あるいはそのすべての面でモータあるいは発電機としての電磁気力が発生する、三次元でのコイル巻きとする回転子とするのを手段とする。磁極は少なくとも１極とする。請求項４の手段は、上記回転子を電磁気力が発生すべく隙間を経て磁石で包むよう構築された三次元磁石であり、回転子と固定子が電機子と磁石と入れ替わっても効果は同じである。
【００１４】第二の課題であるモータ駆動時自己誘導発電抵抗をなくす請求項４の手段として、磁極を単極とし交番電流を発生させないことを手段とする。
【００１５】第三の課題として、駆動モータ駆動時に自己誘導発電する電力が閉鎖回路の中で熱として発散しているのを解決する請求項５手段は、駆動モータ内自己誘導発電閉鎖回路を開放回路としてモータ外部に取り出し有効利用することを手段としている。この方法のみにおいても高効率駆動発電モータの具現は明らかだ。
【００１６】請求項６のワープモータのコイル効率を良くする手段として上記三次元コイルモータの固定子をはずし出力軸回転子とすることを三次元コイルワープモータ手段とする。
【００１７】遊星ワープモータのコイル効率を良くする請求項７の三次元コイル遊星ワープモータは回転子と出力軸回転子を三次元コイルワープモータとすることで電磁気力の効率を二次元面から、二次元四面と広げなおかつ三次元円方向に広げ効率を上げることを手段としている。
【００１８】遊星四重ワープモータのコイル効率を上げる手段の請求項８の三次元コイル発電機内蔵遊星ワープモータは、上記三次元コイル遊星ワープモータのその外側かあるいは内側に上記三次元コイル遊星ワープモータと連動するワープモータを構築し三次元コイル遊星四重ワープモータしコイル効率を上げる。
【００１９】コイルモータの効率を上げる磁極の手段として請求項９の三次元コイルは永久磁石を三次元磁石とするか、又は誘導電力で回転磁界が発生する閉鎖回路の電機子か、あるいは上記電機子が開放回路である磁極とする。
【００２０】第四の遊星歯車の騒音を無くすための請求項１０の遊星プーリーワープモータの手段は、歯車を無くし、代わりに凹凸Ｖ型プーリーとすることを手段としている。
【発明の効果】
【００２１】駆動モータは発電機でもあり、駆動電源入力可動中に発生する自己誘導発電が電流か、起力かあるいはその両方が駆動モータの動作をさまたげる。誘導モータの閉鎖回路である籠を閉鎖回路から開放し電流を発電として取り出せば、それのみで効率の高い電力を得るのみならず、従来道理の駆動力も得られるので、高い効率を得る効果がある。
【００２２】これをワーモータ、遊星ワープモータ、遊星四重ワープモータに使用することにより、効率の高い上記様々なワープモータ駆動発電を具現する効果がある。
【００２３】又遊星歯車の歯面を少なくとも一重の凹凸Ｖ型断面プーリーとすることで、抵抗と騒音を飛躍的に少なくする効果がある。
【００２４】又電機子コイルを三次元コイルとすることで、電磁気力の体積効率を一次元上げることが可能となった。
【発明を実施するための最良の形態】
【００２５】以下図面を用いて本発明を実施する最良の方法を説明する。
【実施の形態１】
【００２６】実施の形態１ワープモータ６にかかる回転方法及びその電気回路及びその装置は、図１において示される。固定子２の形成する回転軸３の回転軸中心を同じくする回転子４とで形成するモータ１がある。固定子２を固定からはずし自由回転する出力軸回転子５とし、ワープモータ６を形成する。固定子２と出力軸回転子５との間には、固定と開放を選択する手段としてのブレーキ７が具備されている。回転子４と固定子２の間には駆動用電気回路８と発電用電気回路９と制御用電気回路１０が具備され、電気回路にはブラシ１１とスリップリング１２が装着されている。出力軸回転子５には永久磁石１３が装着されている。上記磁石の変わりに籠型閉鎖コイル１４と励磁磁鉄１５からなる、誘導磁石１６でも良い。ワープモータ６は外部入力による回転子４の駆動力で、回転子内発電で電気を外部に供給しつつ、出力軸回転子で外部に駆動力をも供給する。電気回路は駆動用電気回路８のみの電機子２８だけでも良い。この電機子はブレーキ２４の使用により発電機にもなる。
【００２７】実施の形態２の遊星ワープモータ１７にかかる回転方法及び、その電気回路及びその装置は図１において説明される。ワープモータ６と遊星歯車の装着は、出力軸回転子５に内歯大歯車１８が一体として装着され、回転子４には遊星歯車支持装置１９、プラネタリュームが一体装着されている。太陽歯車２０は固定子２と一体としてあるが、他の動力源と一体でも良い。これによりたとえば歯車が１：１０であるとすると、回転子４と出力軸回転子５の間では差速回転１、差速力１、トルク換算１，入力１Ｗのとき、遊星ワープモータ１７の出力軸回転子５の回転数は１０回転、トルク１、出力１０Ｗを得られる。
【００２８】遊星歯車の騒音振動を無くし、摩擦力を減じる方法として、遊星歯車面２１を無くし、摩擦力で力を伝達するプーリーとする。少なくとも一重の凹凸のＶ型断面プーリー溝において、遊星歯車プーリーを溝中心に二割とし中にスプリング２２を入れることにより、摩擦面が磨耗しても摩擦面幅が拡張し、スリップを防ぐことが出来る、又電磁ジャッキ２３を装着し、摩擦面を離すことも可能となる。これと固定子２と回転子４の間にブレーキ２４を装置し連動すれば、回生発電機にもなる。
【００２９】実施の形態３の遊星四重ワープモータ２５にかかる回転方法及びその電気回路及びその装置ついては図１において一次元方向二連多段遊星ワープを説明し、図２においては二次元方向二連多段遊星ワープモータの説明をする。連とは固定子の数を言う。段とはワープモータを含む集合のとき電磁気力を発生する場所の数を言う。重とは同じ構造が重なり一つの目的を達成する構造を言う。遊星ワープモータの出力軸回転子５と二段目ワープモータの回転子４が一体となり中間子２６を形成している。中間子とは回転する異四次元間の電磁相互作用を仲立ちする回転子４と出力軸回転子５の合体を言う。大きく分けて一次元方向回転連動か二次元方向表裏連動の相互作用をする。図１の一次元方向連動中間子２６は一段目が永久磁石１３で二段目が電機子２７で出来ている。中間子の回転は二段目出力軸回転子５との間差速で電磁気力により電力を発生しつつ、共に発生する抗力が出力軸回転子として駆動力として出力される。出力軸回転子と固定子の間にブレーキ２９を具備すれば車輪のホイールとすることが出来る。ホイールにタイヤ３０を装着すれば自動車用車輪となる。
【００３０】実施の形態４の発電機内蔵モータ３１にかかる回転方法およびその電気回路及びその装置は図２で示される。回転子４である電機子２８を固定子２と一体とするブレーキ２４で固定子とする。出力軸回転子５をアウターロータの回転子とするモータ３１にお於いて、電機子２８にくどう交番電流を投入し、アウターロータのコイル３２と励磁時鉄３３とに、自己誘導発電を起こし、励磁磁鉄３３を磁化し、アウターロータを回転する際に、発生した電力をブラシ３４、スリップリング３５を経て固定子２からモータ外部に発電電力として取り出すことを最大の特徴とする。発電は整流された脈動の直流電源として得られる。
【００３１】実施の形態５の多重発電機内蔵遊星ワープモータ３２の回転方法及びその電気回路及びその装置は図２で示される。発電機内蔵モータ３１のブレーキ２４を開放すると共に発電機内蔵遊星ワープモータ３２とする。出力軸回転子５の外週、二次元方向多段にワープモータを装着し、その回転子４と上記出力軸回転子５を中間子２６として一体化する。図２における中間子２６は電機子であり、一段目駆動電源回路８よりの入力により回転子４である電機子２８の発生する回転磁界により上記中間子２６は自己誘導発電をし、外部に電力が発電電気」出力回路３７を経て出力しつつ、共に発生する磁力、起力で回転する。この中間子の外側の二段目出力軸回転子３６は電機子で構成され、中間子２６の磁力により出力軸回転子３６より発生する自己誘導発電により、発電電気出力回路３７を得て外部に出力される。その上で出力軸回転子３６は駆動力としても外部に出力軸３より出力される。
【００３２】回生電力として出力軸回転子軸３より外部入力を投入するときは、一段目遊星駆動モータ３２を逆転させれば、効率の良い発電出力を得られることが可能だ。
【００３３】実施に実施形態６は三次元コイルモータについて図３を用いて述べる。モータ回転子の環状励磁磁鉄３８は円周の内外に放射状の磁極３９、これを足と呼ぶ、を形成している。この多足環状鉄芯の最大の特徴はコイルを足に巻く方法と、環状鉄心に巻く方法とが有る。磁極３９である足は環状鉄心の外側でも内側でも、あるいはその両方でも良く、又所望ならば側方、あるいは両側、あるいはそのすべてでも良い、に構築できる。モータ固定子の磁極をこの三次元コイルに隙間を隔てて構築すれば体積あたりの電磁気力効率は飛躍的に良くなる。環状鉄心にコイルを巻くと、磁極の極数を減らすために、コイル重ね巻きをするが、電磁気力利用無効コイル長が巻き数回と長くなる欠点がある。この多足環状鉄心に重ね巻きのコイルを巻くと、電磁気力無効コイル長さは一回で済む。かつ無限長ソレノイドの環状巻きコイルとする、単磁極とする同期モータは自己誘導発電をしないで回転する。自己誘導発電抗力のないこのモータは高速回転モータを具現する。
【００３４】以上本発明の実施の形態にかかる回転方法、及びその電気回路、及び、その装置について説明した。駆動電源は交流による説明であるが、直流でも差し支えはない。その際回転位置だしセンサー、たとえば磁力位置だしセンサー、あるいは光反応ホール素子センサーが必要。あるいは整流子とブラシでの位置だしでも良い。
【図面の簡単な説明】
【００３５】
【図１】は実施の形態１，２，３にかかる回転方法及びその電気回路、及びその装置にかかる縦断面図である。
【図２】は実施の形態３，４，５にかかる回転方法、及びその電気回路、およびその装置にかかる縦断面図である。
【図３】は実施の形態６にかかる回転方法、及びその電気回路、及びその装置にかかる横断面図である。
【符号の説明】
【００３５】１．…モータ
２．…固定子
３．…軸
４．…回転子
５．３６．…出力軸回転子
６．…ワープモータ
７．２４．２９．…ブレーキ
８．…駆動用電気回路
９．…発電用電気回路
１０．…制御用電気回路
１１．３４．…ブラシ
１２．３５．…スリップリング
１３．…永久磁石
１４．…籠型閉鎖コイル
１５．３３．…励磁時鉄
１６．…誘導磁石
１７．…遊星ワープモータ
１８．…内歯大歯車
１９．…遊星歯車支持装置
２０．…太陽歯車
２１．…遊星歯車歯面
２２．…スプリング
２３．…電磁ジャッキ
２５．…遊星四重ワープモータ
２６．…中間子
２７．２８．…電機子
３０．…タイヤ
３１．…発電機内蔵モータ
３２．…コイル
３７．…発電機出力回路
３８．…環状励磁時鉄
３９．…磁極
【図１】
2007300778.tif 000003
【図２】
2007300778.tif 000004
【図３】
2007300778.tif 000005